【手続補正書】
【提出日】平成24年12月3日(2012.12.3)
【手続補正１】
【補正対象書類名】明細書
【補正対象項目名】００１０
【補正方法】変更
【補正の内容】
【００１０】
上記目的を達成するために、本発明の情報処理装置は、一つのジョブのデータに対して所定の処理を行う処理手段と、前記ジョブのデータの一部であって前記処理手段によって処理が行われたデータを送信する送信手段と、前記送信手段によって送信したデータの処理を前記画像処理装置が完了したことを示す完了通知を受信する完了通知受信手段と、前記完了通知受信手段によって前記完了通知を受信した後、前記所定の処理に対する課金処理を行う課金手段とを備え、前記課金手段は、前記送信手段によって送信した複数部分のデータのそれぞれに対応する複数の前記完了通知に従って、複数回、前記課金処理を行うことを特徴とする。
【手続補正２】
【補正対象書類名】特許請求の範囲
【補正対象項目名】全文
【補正方法】変更
【補正の内容】
【特許請求の範囲】
【請求項１】
一つのジョブのデータに対して所定の処理を行う処理手段と、
前記ジョブのデータの一部であって前記処理手段によって処理が行われたデータを送信する送信手段と、
前記送信手段によって送信したデータの処理を前記画像処理装置が完了したことを示す完了通知を受信する完了通知受信手段と、
前記完了通知受信手段によって前記完了通知を受信した後、前記所定の処理に対する課金処理を行う課金手段とを備え、
前記課金手段は、前記送信手段によって送信した複数部分のデータのそれぞれに対応する複数の前記完了通知に従って、複数回、前記課金処理を行うことを特徴とする情報処理装置。
【請求項２】
前記ジョブのデータは複数のページを含み、
前記情報処理装置はさらに、
前ページの前記完了通知を受信したか否かを判定する完了通知受信判定手段と、
前ページの前記完了通知を受信していないと判定されたとき、前記完了通知を受信していないページ数が一定のページ数以下であるか否かを判定するページ数判定手段とを備え、
前記処理手段は、前記完了通知を受信していないページ数が一定のページ数以下であった場合には、次のページの処理を行うことを特徴とする請求項１に記載の情報処理装置。
【請求項３】
前記ジョブのデータは複数のページを含み、
前記情報処理装置はさらに、
前ページの前記完了通知を受信したか否かを判定する完了通知受信判定手段と、
前ページの前記完了通知を受信していないと判定されたとき、前記完了通知を受信していないページ数が一定のページ数以下であるか否かを判定するページ数判定手段とを備え、
前記送信手段は、前記完了通知を受信していないページ数が一定のページ数以下であった場合には、次のページに対応するデータを前記画像処理装置に送信することを特徴とする請求項１に記載の情報処理装置。
【請求項４】
前記処理手段によって処理が行われたデータに対する取得要求を受信したか否かを判定する完了通知受信判定手段を有し、
前記取得要求を受信した場合には、前記送信手段は、前記処理手段によって処理が行われたデータを要求元へ送信することを特徴とする請求項１乃至３のいずれか１項に記載の情報処理装置。
【請求項５】
ジョブのデータが前記完了通知を必要とするデータであるかを判定する完了通知要否判定手段を有し、
前記完了通知を必要とするデータである場合、前記課金手段は前記完了通知に従って前記課金処理を行い、前記送信手段は前記完了通知に従って次のデータを前記画像処理装置に送信し、
前記完了通知を必要とするデータでない場合、前記課金手段は前記完了通知の受信なしに前記課金処理を行い、前記送信手段は前記完了通知の受信なしにジョブのデータの全てを前記画像処理装置に送信することを特徴とする請求項１乃至４のいずれか１項に記載の情報処理装置。
【請求項６】
前記送信手段は前記画像処理装置にデータを送信し、
前記完了通知受信手段は前記画像処理装置から前記完了通知を受信することを特徴とする請求項１乃至５のいずれか１項に記載の情報処理装置。
【請求項７】
前記送信手段は前記画像処理装置とは異なるコンピュータにデータを送信し、
前記完了通知受信手段は前記コンピュータから前記完了通知を受信することを特徴とする請求項１乃至５のいずれか１項に記載の情報処理装置。
【請求項８】
前記ジョブのデータを前記画像処理装置または前記画像処理装置とは異なるコンピュータから受信する受信手段を有することを特徴とする請求項１乃至７のいずれか１項に記載の情報処理装置。
【請求項９】
前記画像処理装置はプリンタであり、
前記完了通知は前記送信手段によって送信したデータの印刷を前記プリンタが完了したことを示すことを特徴とする請求項１乃至８のいずれか１項に記載の情報処理装置。
【請求項１０】
一つのジョブのデータに対して所定の処理を行う処理手段と、
前記ジョブのデータの一部であって前記処理手段によって処理が行われたデータを送信する送信手段と、
前記送信手段によって送信したデータの処理を前記画像処理装置が完了したことを示す完了通知を受信する完了通知受信手段と、
前記完了通知受信手段によって前記完了通知を受信した後、前記所定の処理に対する課金処理を行う課金手段とを備え、
前記送信手段は、前記完了通知受信手段によって前記完了通知を受信した後、前記ジョブのデータの一部であって前記処理手段によって処理が行われた次のデータを送信することを特徴とする情報処理装置。
【請求項１１】
前記ジョブのデータは複数のページを含み、
前記情報処理装置はさらに、
前ページの前記完了通知を受信したか否かを判定する完了通知受信判定手段と、
前ページの前記完了通知を受信していないと判定されたとき、前記完了通知を受信していないページ数が一定のページ数以下であるか否かを判定するページ数判定手段とを備え、
前記処理手段は、前記完了通知を受信していないページ数が一定のページ数以下であった場合には、次のページの処理を行うことを特徴とする請求項１０に記載の情報処理装置。
【請求項１２】
前記ジョブのデータは複数のページを含み、
前記情報処理装置はさらに、
前ページの前記完了通知を受信したか否かを判定する受信判定手段と、
前ページの前記完了通知を受信していないと判定されたとき、前記完了通知を受信していないページ数が一定のページ数以下であるか否かを判定するページ数判定手段とを備え、
前記送信手段は、前記完了通知を受信していないページ数が一定のページ数以下であった場合には、次のページに対応するデータを前記画像処理装置に送信することを特徴とする請求項１０に記載の情報処理装置。
【請求項１３】
前記処理手段によって処理が行われたデータに対する取得要求を受信したか否かを判定する完了通知受信判定手段を有し、
前記取得要求を受信した場合には、前記送信手段は、前記処理手段によって処理が行われたデータを要求元へ送信することを特徴とする請求項１０乃至１２のいずれか１項に記載の情報処理装置。
【請求項１４】
ジョブのデータが前記完了通知を必要とするデータであるかを判定する完了通知要否判定手段を有し、
前記完了通知を必要とするデータである場合、前記課金手段は前記完了通知に従って前記課金処理を行い、前記送信手段は前記完了通知に従って次のデータを前記画像処理装置に送信し、
前記完了通知を必要とするデータでない場合、前記課金手段は前記完了通知の受信なしに前記課金処理を行い、前記送信手段は前記完了通知の受信なしにジョブのデータの全てを前記画像処理装置に送信することを特徴とする請求項１０乃至１３のいずれか１項に記載の情報処理装置。
【請求項１５】
前記送信手段は前記画像処理装置にデータを送信し、
前記完了通知受信手段は前記画像処理装置から前記完了通知を受信することを特徴とする請求項１０乃至１４のいずれか１項に記載の情報処理装置。
【請求項１６】
前記送信手段は前記画像処理装置とは異なるコンピュータにデータを送信し、
前記完了通知受信手段は前記コンピュータから前記完了通知を受信することを特徴とする請求項１０乃至１４のいずれか１項に記載の情報処理装置。
【請求項１７】
前記ジョブのデータを前記画像処理装置または前記画像処理装置とは異なるコンピュータから受信する受信手段を有することを特徴とする請求項１０乃至１６のいずれか１項に記載の情報処理装置。
【請求項１８】
前記画像処理装置はプリンタであり、
前記完了通知は前記送信手段によって送信したデータの印刷を前記プリンタが完了したことを示すことを特徴とする請求項１０乃至１７のいずれか１項に記載の情報処理装置。
【請求項１９】
情報処理装置の制御方法であって、
一つのジョブのデータに対して所定の処理を行う処理工程と、
前記ジョブのデータの一部であって前記処理工程で処理が行われたデータを送信する送信工程と、
前記送信工程で送信したデータの処理を前記画像処理装置が完了したことを示す完了通知を受信する完了通知受信工程と、
前記完了通知受信工程で前記完了通知を受信した後、前記所定の処理に対する課金処理を行う課金工程とを有し、
前記送信工程で送信した複数部分のデータのそれぞれに対応する複数の前記完了通知に従って、複数回、前記課金処理を行うことを特徴とする情報処理装置の制御方法。
【請求項２０】
情報処理装置の制御方法を実行するための、コンピュータで読み取り可能なプログラムであって、
データに対して所定の処理を行う処理ステップと、
前記ジョブのデータの一部であって前記処理ステップで処理が行われたデータを送信する送信ステップと、
前記送信ステップで送信したデータの処理を前記画像処理装置が完了したことを示す完了通知を受信する完了通知受信ステップと、
前記完了通知受信ステップで前記完了通知を受信した後、前記所定の処理に対する課金処理を行う課金ステップとを有し、
前記送信ステップで送信した複数部分のデータのそれぞれに対応する複数の前記完了通知に従って、複数回、前記課金処理を行うことを特徴とするプログラム。